(57)【要約】【課題】トランスの絶縁機能及びインバータの保護機能を同時に行い得る一体型のシールドカバー及びこれを採用した液晶表示装置を提供することを目的とする。【解決手段】一体型のシールドカバー１６５は、インバータ１６１を保護し、インバータ１６１に実装されたトランス１６２を含む各種部品を保護、絶縁する絶縁フィルムで構成され、インバータ１６１の下部から上部の全面を覆うようにインバータ１６１に付着して液晶表示装置に締結される。【選択図】図１
2005346060.tif 000002
【特許請求の範囲】
【請求項１】
インバータを保護し、該インバータに実装されたトランスを含む各種部品を保護及び絶縁する絶縁フィルムにより構成され、前記インバータを覆うように前記インバータに付着されて液晶表示装置に締結されることを特徴とするシールドカバー。
【請求項２】
前記シールドカバーは、両面テープを利用して前記インバータに付着されることを特徴とする請求項１に記載のシールドカバー。
【請求項３】
前記シールドカバーは、ＰＥＴ材質の絶縁フィルムで構成されることを特徴とする請求項１に記載のシールドカバー。
【請求項４】
前記絶縁フィルムは、約０．２ｍｍ〜１ｍｍの厚さを有することを特徴とする請求項１に記載のシールドカバー。
【請求項５】
前記シールドカバーは、前記インバータから発生する熱を放出するために、複数の放熱部をさらに含むことを特徴とする請求項１に記載のシールドカバー。
【請求項６】
前記シールドカバーは、該シールドカバーに形成された少なくとも１つの第１締結溝と、前記インバータに形成された少なくとも１つの第２締結溝とを利用して、前記液晶表示装置に締結されることを特徴とする請求項１に記載のシールドカバー。
【請求項７】
前記シールドカバーは、前記インバータの表面に突出形成された部品を保護するために、少なくとも１つの折り曲げ用スリットと折り曲げ線とをさらに含むことを特徴とする請求項１に記載のシールドカバー。
【請求項８】
前記折り曲げ線は、前記突出形成された部品に対応する前記シールドカバーの表面に形成され、
前記折り曲げ用スリットは、前記折り曲げ線に沿って少なくとも１つ形成される
ことを特徴とする請求項７に記載のシールドカバー。
【請求項９】
モールドフレームと、
該モールドフレームに結合された液晶表示パネルと、
該液晶表示パネルに光を照射するランプを含むバックライトユニットと、
前記液晶表示パネルの下部に位置して前記ランプに駆動電圧を印加するインバータと、
該インバータを保護し、該インバータに実装されたトランスを含む各種部品を保護及び絶縁する絶縁フィルムにより構成され、前記インバータを覆うように前記インバータに付着されて前記液晶表示パネルに締結されるシールドカバーと
を含むことを特徴とする液晶表示装置。
【請求項１０】
前記シールドカバーは、ＰＥＴ材質の絶縁フィルムで構成されることを特徴とする請求項９に記載の液晶表示装置。
【請求項１１】
前記絶縁フィルムは、約０．２ｍｍ〜１ｍｍの厚さを有することを特徴とする請求項９に記載の液晶表示装置。
【請求項１２】
前記液晶表示パネル、前記モールドフレーム及び前記バックライトユニットを結合させて支持する下部カバーをさらに含むことを特徴とする請求項９に記載の液晶表示装置。
【請求項１３】
前記シールドカバー及び前記インバータは、前記シールドカバーに形成された少なくとも１つの第１締結溝と、前記インバータに形成された少なくとも１つの第２締結溝とを利用して、前記液晶表示パネルの下部カバーに締結されることを特徴とする請求項１２に記載の液晶表示装置。
【請求項１４】
前記シールドカバーは、前記インバータの表面に突出形成された部品を保護するために、少なくとも１つの折り曲げ用スリットと折り曲げ線とをさらに含むことを特徴とする請求項９に記載の液晶表示装置。
【請求項１５】
前記折り曲げ線は、前記突出形成された部品に対応する前記シールドカバーの表面に形成され、
前記折り曲げ用スリットは、前記折り曲げ線に沿って少なくとも１つ形成される
ことを特徴とする請求項１４に記載の液晶表示装置。
【発明の詳細な説明】
【技術分野】
【０００１】
本発明は、インバータ保護用シールドカバーに係るもので、詳しくは、トランスの絶縁機能とインバータの保護機能とを同時に行い得る一体型のシールドカバー及びこれを採用した液晶表示装置に関する。
【背景技術】
【０００２】
近来、情報化社会におけるディスプレイは、視覚情報伝達媒体としてその重要性が一層強調されることで、今後主要な位置を占めるために、省エネルギー化、薄型化、軽量化及び高画質化などの要件を満たすようになっている。
【０００３】
且つ、前記ディスプレイは、ブラウン管（Cathode Ray Tube；ＣＲＴ）、電界発光素子（Electro Luminescence；ＥＬ）、発光ダイオード（Light Emitting Diode；ＬＥＤ）、真空蛍光表示管（Vacuum Fluorescent Display；ＶＦＤ）、電界放出ディスプレイ（Field Emission Display；ＦＥＤ）、及びプラズマディスプレイパネル（Plasma Display Panel；ＰＤＰ）などのように、自ら光を発生する発光型と、液晶表示装置（Liquid Crystal Display；ＬＣＤ）のように自ら光を発生し得ない非発光型とに分類される。
【０００４】
ここで、前記液晶表示装置は、液晶の光学的異方性を利用して画像を表示する装置であって、既存のブラウン管に比べて、視認性に優れ、平均消費電力が少ないだけでなく、発熱量も少ないため、最近、プラズマディスプレイパネル、電界放出ディスプレイと共に、次世代表示装置として脚光を浴びている。
【０００５】
以下、このような液晶表示装置について詳細に説明する。
図３は、通常の液晶表示装置を示した分解斜視図であり、図示されたように、通常の液晶表示装置は、マトリックス状に配列された複数の画素に、画像情報のデータ信号を個別的に供給し、これらの画素の光透過率を調節することで、所望の画像を表示し得るように、複数の画素（図示せず）がマトリックス状に配列された液晶表示パネル１０と、それら複数の画素を駆動するための駆動回路部２０、３０とから構成される。
【０００６】
且つ、図示していないが、液晶表示パネル１０は、均一なセルギャップが維持されるように対向して貼り合わせられたアレイ基板、カラーフィルタ基板と、これらアレイ基板とカラーフィルタ基板との間に形成された液晶層とから構成される。
【０００７】
また、駆動回路部２０、３０は、液晶表示パネル１０を駆動するためのタイミングコントローラのような各種素子（図示せず）と、テープ・キャリヤ・パッケージ（Tape Carrier Package；ＴＣＰ）２２、３２が付着した印刷回路基板（Printed Circuit Board；ＰＣＢ）２１、３１とから構成される。
【０００８】
ここで、前記アレイ基板とカラーフィルタ基板とが貼り合わせられた液晶表示パネル１０には、共通電極（図示せず）及び画素電極（図示せず）が形成されることで、前記液晶層に電界を印加するようになっている。
【０００９】
従って、前記共通電極に電圧が印加された状態で、前記画素電極に印加されるデータ信号の電圧を制御すると、前記液晶層の液晶は、前記共通電極と画素電極間の電界によって誘電異方性により回転することで、画素ごとに光を透過又は遮断して文字や画像を表示する。
【００１０】
また、前述したように、前記液晶表示装置は、自ら発光することができず、光の透過率を調節して画像を表示する特性を有するため、液晶表示パネル１０に光を照射するための別途の装置としてのバックライトユニット４０が必要である。
【００１１】
ここで、バックライトユニット４０は、光を発散する蛍光ランプ（図示せず）を含むランプアセンブリ（図示せず）と、前記蛍光ランプから発散した光を反射させる反射板４１と、光を案内する導光板４２と、導光板４２の上面に設置されて導光板４２からの光を拡散及び集光する複数の光学シート４３とから構成される。
【００１２】
このように、液晶表示装置は、液晶表示パネル１０と、駆動回路部２０、３０と、バックライトユニット４０とから構成され、それら液晶表示パネル１０、駆動回路部２０、３０及びバックライトユニット４０を支持及び結合させるために多様な形態の部品が使用される。
【００１３】
即ち、液晶表示パネル１０及びバックライトユニット４０をモールドフレーム４４に積層して、その積層された液晶表示パネル１０及びバックライトユニット４０の側面がモールドフレーム４４により支持されるようにし、液晶表示パネル１０の上面縁部を上部ケース５１に圧着して上部ケース５１とモールドフレーム４４とをネジ（図示せず）で螺合することで、前記積層された液晶表示パネル１０及びバックライトユニット４０がバックライトユニット４０の背面に配置された下部ケース５２により支持されるようにし、下部ケース５２と上部ケース５１とをネジで螺合する。
【００１４】
また、前記液晶表示装置には、蛍光ランプを駆動するためのインバータが備えられ、前記インバータ（図示せず）には、前記蛍光ランプに高電圧の交流電流を供給するためのトランスのような多数の電気部品が実装される。
【００１５】
よって、前記インバータのトランスを保護することで発生する寄生磁性成分を遮断してトランス間及び他の部品とを絶縁するための絶縁フィルム（図示せず）を、前記インバータに追加で締結し、外部の衝撃から前記インバータを保護するために、シールドカバー５３を前記インバータ上に被せて、下部ケース５２とネジ溝５４に螺合するが、以下、これについて説明する。
【００１６】
即ち、図４Ａ及び図４Ｂは、図３のインバータに結合される絶縁フィルム及びこれに締結されるシールドカバーを示した説明図であり、図示されたように、通常の直下型バックライトの駆動においては、インバータ６１のトランス６２を保護し、これより発生する寄生磁性成分を遮断して、トランス６２間及び他の部品（図示せず）との絶縁を行うポリエチレンテレフタレート（Polyethylene Terephthalate；以下、ＰＥＴと称す）製の絶縁フィルム６４が、インバータ６１上部のトランス６２を含む所定領域から該インバータ６１の下部までを覆っている。
【発明の開示】
【発明が解決しようとする課題】
【００１７】
ここで、絶縁フィルム６４は、その厚さが０．１ｍｍ以下と薄く、単にインバータ６１の絶縁とトランス６２の保護用としてのみ適用されるようになっているため、液晶表示装置にインバータ６１を結合する際、インバータ６１を保護する機能を有するシールドカバーを別途に締結しなければならないという不都合な点があった。
【００１８】
即ち、図４Ｂに示すように、一般の液晶表示装置は、下部ケース５２の背面に実装されるインバータ６１を外部の衝撃から保護するために、金属製のシールドカバー５３を下部ケース５２に締結する。ここで、下部ケース５２とシールドカバー５３とは、複数のネジ溝５４にネジで締結される。ここで、図中の未説明である符号５６は、放熱のための放熱部を示したものである。
【００１９】
このように、通常の液晶表示装置の締結において、インバータを保護するために追加適用されるシールドカバーは、電気的にインバータに悪影響を及ぼすため、インバータとの間隔を維持すべきであるが、これは、液晶表示装置全体の厚さを増加させる要因になる。
【００２０】
即ち、前記シールドカバーは、最終製品としての液晶表示装置の厚さを厚くする要因となり、これは、次第にスリム化される液晶表示装置の製品デザインにおいて不利に作用し、かつ、電気的特性面においても、追加で適用されたシールドカバーがインバータのトランスと高圧配線との寄生容量を増大させる要因となるためインバータの効率を低下させ、最終製品の消費電力を増加させるだけでなく、電気的画像においても、白色均一性を損なうという問題点があった。
【００２１】
本発明は、このような従来技術の問題点を解決するためになされたもので、インバータを固定及び保護すると共に、トランスを保護及び絶縁する絶縁フィルムの機能を有する一体型のシールドカバー及びこれを採用した液晶表示装置を提供することを目的とする。
【課題を解決するための手段】
【００２２】
このような目的を達成するために、本発明に係る一体型のシールドカバーは、インバータを保護し、該インバータに実装されたトランスを含む各種部品を保護及び絶縁する絶縁フィルムにより構成され、前記インバータを覆うように前記インバータに付着されて液晶表示装置に締結されることを特徴とする。
【００２３】
また、本発明に係る液晶表示装置は、モールドフレームと、該モールドフレームに結合された液晶表示パネルと、該液晶表示パネルに光を照射するランプを含むバックライトユニットと、前記液晶表示パネルの下部に位置して前記ランプに駆動電圧を印加するインバータと、該インバータを保護し、該インバータに実装されたトランスを含む各種部品を保護及び絶縁する絶縁フィルムにより構成され、前記インバータを覆うように前記インバータに付着されて前記液晶表示パネルに締結されるシールドカバーとを含むことを特徴とする。
【発明の効果】
【００２４】
本発明に係る一体型のシールドカバー及びこれを採用した液晶表示装置においては、トランスの保護及び絶縁機能を有する既存の絶縁フィルムをインバータを保護するためのシールドカバーとして適用することで、液晶表示装置の厚さを減らしてスリム化に対応し、寄生容量を最小化してインバータの効率を最大化することができ、液晶表示装置の消費電力を減少し得るという効果がある。
【発明を実施するための最良の形態】
【００２５】
以下、添付の図面を参照して、本発明に係る一体型のシールドカバー及びこれを採用した液晶表示装置の好ましい実施形態を説明する。
【００２６】
図１は、本発明に係るシールドカバーが締結された液晶表示装置の構成を示した縦断面図で、インバータが一体型のシールドカバーによって覆われている液晶表示装置の背面の一部が示されている。
【００２７】
図示されたように、直下型インバータにおいて、液晶表示装置の大型化、薄型化による前述した問題点を解決するために、インバータ１６１のカバーとしての役割を果たすように設計された本発明の一実施形態における一体型のシールドカバー１６５が、インバータ１６１に締結される。
【００２８】
即ち、一体型のシールドカバー１６５は、インバータ１６１のトランス（図示せず）の保護及び絶縁機能を有する既存のＰＥＴ材質の絶縁フィルムを、インバータ１６１のカバーとしての役割を果たし得るように設計することで、インバータ１６１の保護カバーが不要となるため、液晶表示装置の全体の厚さを減らすだけでなく、材料費を削減する効果を達成することができる。
【００２９】
ここで、シールドカバー１６５は、前述したように、絶縁性のＰＥＴ材質から構成されて、インバータ１６１のトランスの保護、絶縁及びこれによるトランスと高圧配線間の寄生容量の増大を最大限抑制することができる。また、シールドカバー１６５は、約０．２ｍｍ〜１ｍｍの厚さに形成され、柔軟性及び硬質性を合わせ持ち、インバータ１６１の保護用に適用する既存のカバーとしての役割を十分に果たし得る。
【００３０】
このような本発明の一実施形態によるシールドカバーは、絶縁性のＰＥＴ材質から形成され、本来の絶縁フィルムの役割としてのインバータ自体の絶縁機能を果たすだけでなく、十分な厚さに形成することで金属製のカバーを代替することができ、これによる寄生容量の増大を根本的に防止して、液晶表示装置の厚さを最小化することができる。
【００３１】
即ち、金属製のシールドカバーをＰＥＴ材質に変更、代替することで、トランス又は他の部品との寄生容量の発生を根本的に防止することができ、既存のカバーを採用せずにインバータの保護機能を維持することができ、前記カバーの厚さだけ液晶表示装置の厚さが減少し得る。また、高価なＳＵＳ（Steel Use Stainless）材質のカバーを採用せずに、液晶表示装置の全体費用を削減し得るという効果がある。
【００３２】
一方、シールドカバー１６５には、インバータ１６１から発生する熱を放出するための複数の放熱部１５５が、図中には円形状の放熱部１５５として示されているが、これに限定されるものではなく、その形態に関係なく熱を外部に効果的に放出すればよい。
【００３３】
また、図中には円形状の放熱部１５５がシールドカバー１６５の下部領域のみに形成されているが、シールドカバー１６５の上部領域にも形成することができる。
【００３４】
一方、インバータ１６１の液晶表示装置への締結は、例えば、図示されたように、インバータ１６１を覆っているシールドカバー１６５に複数の締結溝１５４、１６３を設計して、インバータ１６１とシールドカバー１６５を同時に液晶表示装置に締結する。
【００３５】
ここで、シールドカバー１６５は、インバータ１６１に付着して一体化するように構成されているので、本発明の一実施形態のように、インバータ１６１が液晶表示装置に締結されることによって、同時にインバータ１６１に一体化したシールドカバー１６５が液晶表示装置に締結される。
【００３６】
また、シールドカバー１６５には、インバータ１６１に実装されたトランスのように、その厚さが他の部品に比べて厚くて段差を形成する所定の部品を効果的に保護するために、少なくとも１つ以上の折り曲げ用スリット１７０Ａ、１７０Ｂ及び折り曲げ線１７１Ａ、１７１Ｂを形成することができ、これについて、インバータ１６１とシールドカバー１６５との締結方式と共に詳細に説明する。
【００３７】
図２は、図１のインバータにシールドカバーが締結された状態を示した縦断面図であり、両面テープを利用してインバータ１６１にシールドカバー１６５を締結する方式を示す。
【００３８】
図示されたように、シールドカバー１６５は、インバータ１６１の下部からトランス１６２を含むインバータ１６１の上部全面を覆うように締結されるが、シールドカバー１６５とインバータ１６１との締結は、次のように、シールドカバー１６５に付着した両面テープ１８０Ａ、１８０Ｂを利用して行うことができる。
【００３９】
即ち、締結されるインバータ１６１に実装されたトランス１６２の上面とインバータ１６１下部の所定領域に対応するシールドカバー１６５の表面に両面テープ１８０Ａ、１８０Ｂをそれぞれ付着した後、それら両面テープ１８０Ａ、１８０Ｂを利用して、インバータ１６１の上側又は下側からシールドカバー１６５をインバータ１６１に被せる。
【００４０】
このとき、インバータ１６１には、トランス１６２のように段差を有する部品が実装され、シールドカバー１６５は、前述したように、インバータ１６１を保護するためにその厚さが厚いため、前記段差によりインバータ１６１との間に間隔が発生するか、又は効果的に前記段差を有する部品を保護できないことがある。
【００４１】
従って、本発明においては、図１及び図２に示すように、シールドカバー１６５の表面に第１折り曲げ線１７１Ａ及び第２折り曲げ線１７１Ｂをそれぞれ形成し、それら第１、第２折り曲げ線１７１Ａ、１７１Ｂに沿って複数の折り曲げ用スリット１７０Ａ、１７０Ｂを形成することで、折り曲げ部位Ｅ１、Ｅ２でシールドカバー１６５を折り曲げることにより、その段差にも関わらず部品（即ち、厚さが厚いトランス１６２とインバータ１６１）を効果的に保護、絶縁することができる。
【図面の簡単な説明】
【００４２】
【図１】本発明に係るシールドカバーが締結された液晶表示装置の構成を示した概略縦断面図である。
【図２】図１のインバータにシールドカバーが締結された状態を示した縦断面図である。
【図３】通常の液晶表示装置を示した概略分解斜視図である。
【図４Ａ】図３のインバータに結合される絶縁フィルム及びこれに締結されるシールドカバーを示した概略説明図である。
【図４Ｂ】図３のインバータに結合される絶縁フィルム及びこれに締結されるシールドカバーを示した概略説明図である。
【符号の説明】
【００４３】
１５１  上部ケース、１５２  下部ケース、１５４、１６３  締結溝、１５５  放熱部、１６１  インバータ、１６２  トランス、１６５  シールドカバー、１７０Ａ、１７０Ｂ  折り曲げ用スリット、１８０Ａ、１８０Ｂ  両面テープ。
【図１】
2005346060.tif 000003
【図２】
2005346060.tif 000004
【図３】
2005346060.tif 000005
【図４Ａ】
2005346060.tif 000006
【図４Ｂ】
2005346060.tif 000007